【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
溶融ガラスのたねをガラス製品の物品に変換するための第１作動機構を有するガラス製品成形マシン（２４）と、溶融ガラスのたねを前記ガラス製品成形マシンに送るための第２の作動機構を有するたね送りシステム（１２〜２２）と、前記ガラス製品成形マシンからガラス成形の物品を受け、これらを運搬するための第３の作動機構を有する製品ハンドリングシステム（２６〜３２）と、前記第１、第２および第３の作動機構の作動を制御し、コーディネートするための電子制御システム（３４または１２０）とを備えたガラス製品成形マシンシステム（１０）において、前記電子制御システムは、
ガラス製品の物品を製造するために前記第１の作動機構の作動を制御しかつコーディネートする、前記ガラス製品成形マシンの前記第１の作動機構に結合されたマシンコントローラ（３２または３７ａ）と、
溶融ガラスのたねを前記ガラス製品成形マシンへ送るために前記第２の作動機構の作動を制御しかつコーディネートする、前記第２の作動機構に結合されたたね送りコントローラ（５８または７８ａ、８０ａ、８２、８４ａ）と、
前記ガラス製品成形マシンからガラス製品の物品を運搬するために前記第３の機構の作動を制御しかつコーディネートする、前記製品ハンドリングシステムの前記第３の作動機構に結合された製品ハンドリングコントローラ（５６または５６ａ、６２ａ）と、及び
前記マシンコントローラ、前記たね送りコントローラおよび前記製品ハンドリングコントローラを相互に接続し、前記第１、第２および第３の作動機構の相互の作動をコーディネートするために、相互に通信するマシンシリアルデータバス（５４）とを備えたことを特徴とするガラス製品成形マシンシステム（１０）。
【請求項２】
前記電子制御システムは、前記マシン、前記たね送りコントローラおよび前記製品ハンドリングコントローラに制御情報を送信し、かつ前記コントローラの作動をモニタする、前記マシンシリアルデータバスに結合されたマシンサーバー（９０）を更に含む請求項１に記載のシステム。
【請求項３】
前記マシンサーバー（９０）は、外部ソースから制御情報をダウンロードするための設備を含む請求項２に記載のシステム。
【請求項４】
前記マシンサーバーは、制御情報をダウンロードしかつワールドワイドウェブ（９４）を介してリモートロケーションへ製造データをアップロードする設備を含む請求項３に記載のシステム。
【請求項５】
前記マシンサーバー（９０）は、制御プログラムが互いに整合することを保証するために前記コントローラにおける係る制御プログラムをモニタするコンフィギュレーションマネージャー（１５８）を含む請求項２に記載のシステム。
【請求項６】
前記マシンサーバー（９０）は、前記コントローラのうちの１つのために新しいか、または改定された制御プログラムを受信し、前記コントローラのうちの他のコントローラのために現在の制御プログラムのライブラリーにアクセスし、前記新しいか、または改定された制御プログラムが前記現在のプログラムと整合しているときに、該新しいか、または改定された制御プログラムを前記一方のコントローラへダウンロードする設備を含む請求項５に記載のシステム。
【請求項７】
前記動機構のうちの少なくとも一部は、電子制御信号に応答するバルブ（４０）によって作動される空気圧作動機構を含み、かつ前記コントローラの少なくとも一つは、前記バルブに前記電子制御信号を供給するように構成されている請求項１に記載のシステム。
【請求項８】
前記電子制御システムは、前記マシン、前記たね送りコントローラおよび前記製品ハンドリングコントローラと独立して前記マシンシリアルデータバス（５４）に結合され、前記空気圧作動機構のうちの少なくとも一部への空気の供給を制御するマシンバルブコントローラ（１２２）を更に含む請求項７に記載のシステム。
【請求項９】
前記空気圧作動機構の各々は、関連するバルブドライブモジュール（１２６）を含み、かつ第２シリアルバス（１２４）は、前記バルブドライブモジュールを前記マシンバルブコントローラに接続する請求項８に記載のシステム。
【請求項１０】
前記ガラス製品成形マシンの前記第１作動機構は、空気圧作動機構（４０）と電気作動機構（４６、４８、５０）の両方を備え、かつ
前記マシンコントローラは、前記空気圧作動機構に結合されたバルブコントローラ（３８または１２６）及び前記電気作動機構に結合されたサーボコントローラ（４２）を備え、前記バルブコントローラ及び前記サーボコントローラは、前記マシンシリアルデータバス（５４）に別個に結合されている請求項１に記載のシステム。
【請求項１１】
前記電気作動機構（４６、４８、５０）の各々は、関連する電気ドライブモジュールを備え、かつ前記マシンコントローラ（３７または３７ａ）は、前記サーボコントローラ（４２）を前記ドライブモジュールに接続する第２シリアルデータバス（４４）を更に含む請求項１０に記載のシステム。
【請求項１２】
前記ガラス製品成形マシンは、それぞれが前記第１作動機構を有している複数のマシンセクション（２４ａ〜２４ｎ）を備え、かつ前記電子制御システムは、それぞれが関連するマシンセクションの第１作動機構に結合されかつ前記データバス（５４）に接続された複数の前記マシンコントローラ（３７または３７ａ）を備えている請求項１記載のシステム。
【請求項１３】
前記第１作動機構は、テイクアウト機構（４６）、インバート機構（４８）およびスウィープアウト機構（５０）で構成されている群から選択された電気作動機構を備え、前記第２作動機構は、制御チューブ機構（７８）、ニードル機構（８０）、剪断機構（８２）およびたね分配機構（８４）で構成されている群から選択された電気作動機構を備え、かつ前記第３の作動機構は、マシンコンベア機構（６２）、クロスコンベア機構（６４）、ラジアル転送機構（６６）および徐冷がまローダー機構（６８）で構成されている群から選択された電気作動機構を備えた請求項１に記載のシステム。
【請求項１４】
前記コントローラのうちの少なくとも１つは、
一つ以上の特定の作動機構と組み合わせて前記マザーボードの使用に関連付けられた電子的に読み取り可能なインディシア（１８０）を含むアプリケーションマザーボード（１７２）と、及び
前記特定の作動機構を制御するためにプロセッサモジュールを使用できるかどうかを判断するために前記読み取り可能なインディシアとの比較のするために不揮発性メモリにアプリケーション特定制御プログラム（１９４）を含む、前記マザーボードに交換可能に取り付けられたプロセッサモジュール（１９２）とを備えた請求項１に記載のシステム。
【請求項１５】
前記電子制御システムは、前記コントローラのうちの少なくとも１つのために制御プログラムを内部に記憶している、前記ネットワークに結合されたホストコンピュータ（１７６）を備え、かつ
前記コントローラのうちの少なくとも１つは、
一つ以上の特定の作動機構と組み合わせて前記マザーボードの使用に関連付けられた電子的に読み取り可能なインディシア（１８０）を含むアプリケーションマザーボード（１７０または１７２）と、
前記インディシアを読み出し、前記インディシアを前記ホストコンピュータに伝送し、そして前記特定の作動機構を作動させるために必要な制御プログラミングを前記ホストコンピュータからダウンロードするプログラミングを備えた、前記マザーボードに交換可能に取り付けられたプロセッサモジュール（１８４、１９２）とを備えた請求項１記載のシステム。